(57)【特許請求の範囲】
【請求項１】
押釦スイッチに操作レバーの先端部を回動自在に枢支し、操作レバーを回動操作することにより操作レバーで押釦を押圧する操作レバー付押釦スイッチにおいて、１枚のリーフバネ材の中間部分を彎曲させると共にリーフバネ材の両端同士を一定の範囲でスライド自在になるように直接係合させて操作レバーを形成し、リーフバネ材の中間部分である操作レバーの先端部を押釦スイッチに枢支し、操作レバーの押圧操作部と押釦の位置とを合致させて成ることを特徴とする操作レバー付押釦スイッチ。
【請求項２】
リーフバネ材の中間部分を彎曲させてリーフバネ材の下片を水平にすると共にリーフバネ材の上片を山形にし、上片の基端に垂直なストレート部を設けると共にストレート部と下片の基端部分とを一定の範囲でスライド自在になるように直接係合して成ることを特徴とする請求項１記載の操作レバー付押釦スイッチ。
【発明の詳細な説明】
【０００１】
【発明の属する技術分野】
本発明は、押釦を押圧操作する操作レバーを有する操作レバー付押釦スイッチに関するものである。
【０００２】
【従来の技術】
図６に示すように押釦スイッチ１の上面にはスイッチのオンオフを操作する押釦２を突設してあり、押釦スイッチ１の上に配置した操作レバー３の先端の枢支片４を軸５にて押釦スイッチ１に回動自在に枢支してある。そして操作レバー３を回動操作することにより操作レバー３で押釦２を動作させるようになっている。操作レバー３はリーフバネ材６と調整ネジ７と接続ピン８とで構成してある。リーフバネ材６は中間部分を彎曲させるように折曲してあり、リーフバネ材６の下片６ａは略水平になっていると共にリーフバネ材６の上片６ｂは略山形になっている。リーフバネ材６の下片６ａの基端と上片６ｂの基端とを調整ネジ７と接続ピン８とで近接離間自在に結合してある。そしてリーフバネ材６の上片６ｂの頂点の押圧操作部９を押すと、図６（ａ）の状態から図６（ｂ）のように操作レバー３が回動して押釦２が押圧される。このときリーフバネ材６の下片６ａと上片６ｂの基端同士が接触するようにリーフバネ材６が撓んでＯＴ（オーバートラベル）量がとれるようになっている。
【０００３】
【発明が解決しようとする課題】
ところが、上記従来例の場合ＯＴ量の確保と、ＯＰ（オペレィテングポジション）精度の向上のために、操作レバー３をリーフバネ材６と調整ネジ７と接続ピン８の３点の部品から構成しなければならなく、部品点数が多くなると共に調整等で手間がかかり、コストアップになるという問題がある。また操作レバー３の押圧操作部９と押釦２の位置が図６（ａ）のＬの寸法ずれており、ＯＰ精度が悪いという問題がある。
【０００４】
本発明は上述の点に鑑みてなされたものであって、部品点数を少なくしてコストダウンを図ると共にＯＰ精度を確保することを課題とする。
【０００５】
【課題を解決するための手段】
上記課題を解決するために本発明操作レバー付押釦スイッチは、押釦スイッチ１に操作レバー３の先端部を回動自在に枢支し、操作レバー３を回動操作することにより操作レバー３で押釦２の押圧する操作レバー付押釦スイッチにおいて、１枚のリーフバネ材６の中間部分を彎曲させると共にリーフバネ材６の両端同士を一定の範囲でスライド自在になるように直接係合させて操作レバー３を形成し、リーフバネ材６の中間部分である操作レバー３の先端部を押釦スイッチ１に枢支し、操作レバー３の押圧操作部９と押釦２の位置とを合致させて成ることを特徴とする。このことにより、操作レバー３をリーフバネ材６だけの１部品で構成でき、部品点数を少なくしてコストダウンが図れる。また操作レバー３の押圧操作部９と押釦２の位置とを合致させていることにより、押圧操作部９の操作による押釦２の動作が安定し、ＯＰ精度が向上する。
【０００６】
またリーフバネ材６の中間部分を彎曲させてリーフバネ材６の下片６ａを水平にすると共にリーフバネ材６の上片６ｂを山形にし、上片６ｂの基端に垂直なストレート部１０を設けると共にストレート部１０と下片６ａの基端部分とを一定の範囲でスライド自在になるように直接係合して成ることを特徴とすることも好ましい。この場合、操作レバー３の高さ方向の寸法管理が容易にでき、ＯＰ精度を確保できる。
【０００７】
【発明の実施の形態】
まず、図１、図２に示す例から述べる。押釦スイッチ１の上には操作レバー３を配置してあり、操作レバー３の先端部を押釦スイッチ１に回動自在に枢支してあり、操作レバー３の基部の下方に押釦２を対応させてある。操作レバー３はリーフバネ材６にて一体に形成されている。リーフバネ材６は帯板状であって、中間部分を略横向きＵ字状に彎曲させてあり、下片６ａと上片６ｂを形成してある。リーフバネ材６の上片６ｂは山形に形成されており、上片６ｂの頂点部を押圧操作部９としてある。下片６ａの先端部の両側には枢支片４を一体に垂下してあり、枢支片４には軸孔１９を穿孔してある。下片６ａの基端には係合切り欠き１６を設けてあり、上片６ｂの基端部から係合切り欠き１６より幅の狭い突片１７を連出してあり、突片１７の先端に突片１７より幅の広い係合部１３を設けてある。このように形成されたリーフバネ材６は係合部１３と係合切り欠き１６とを係合する前は、図１（ｂ）に示す形状になっており、この状態から上片６ｂと下片６ａが近接するように変形させ、突片１７を係合切り欠き１６に挿通して係合部１３を係合して操作レバー３を組み立てる。このように組み立てられた操作レバー３は押釦スイッチ１の上に配置され、枢支片４の軸孔１９に挿通した軸５にて操作レバー３が回動自在に取り付けられ、押圧操作部９の位置と押釦２の位置が上下方向に対応させられる。しかして、操作レバー３の押圧操作部９を押圧することにより、操作レバー３を回動して操作レバー３にて押釦２を押圧できるが、押圧操作部９と押釦２とが対応してＯＰ精度が向上する。このとき係合切り欠き１６に対して突片１７がスライドして上片６ｂが撓み変形して所定のＯＴ量を得ることができる。
【０００８】
次に図３、図４に示す例について述べる。本例も上記例と基本的に同じであるが、本例の場合リーフバネ材６の上片６ｂの基端側にストレート部１０を設けてある。このストレート部１０は係合部１３を係合切り欠き１６に係合したときストレート部１０が下片６ａに直交する角度で設けてある。またストレート部１０は係合切り欠き１６の巾よりやや狭くしてあり、ストレート部１０を係合切り欠き１６にスライド自在に挿通してある。ところで、リーフバネ材６を組み立てて操作レバー３を形成したとき、図５（ａ）に示す操作レバー３の高さｈの寸法を所定寸法にするとＯＰ精度を向上できるが、図１、図２に示す
ものの場合、係合部１３と係合切り欠き１６とを係合して組み立てる前は図５（ｂ）の状態となり、高さｈを測定する基準となるものがなくて、組み立て前に寸法管理ができない。ところが、本例の場合、ストレート部１０を設けてあるために係合部１３と係合切り欠き１６とを係合して組み立てる前に高さｈを測定して寸法管理できる。つまり、図３（ｂ）の状態で高さｈを測定する場合、測定器（投影機）にてストレート部１０を基準線として仮想延長線Ａを引き、この仮想延長線Ａと直交するように上片６ｂの頂点Ｂから仮想延長線Ｃを引き、仮想延長線Ａと仮想延長線Ｃとが交差するＤ点と、係合部１３の係合点Ｅとの間の寸法を測定すれば高さｈを測定できる。これにより寸法管理が十分にできてＯＰ精度を向上できる。この場合測定した高さｈが管理値に対してばらついていた場合、Ｂ点部分のθの角度を変位させて調整することができて管理寸法内に入れることができる。
【０００９】
【発明の効果】
本発明は叙述のように１枚のリーフバネ材の中間部分を彎曲させると共にリーフバネ材の両端同士を一定の範囲でスライド自在になるように直接係合させて操作レバーを形成しているので、操作レバーをリーフバネ材だけの１部品で構成でき、部品点数を少なくしてコストダウンが図れるものであり、しかもリーフバネ材の両端同士を一定の範囲でスライド自在になるように係合させているので、所定のＯＴ量を確保することができるものである。また操作レバーの押圧操作部と押釦の位置とを合致させているので、押圧操作部の操作による押釦の動作が安定し、ＯＰ精度が向上するものである。
【００１０】
また本発明の請求項２記載の発明にあっては、リーフバネ材の中間部分を彎曲させてリーフバネ材の下片を水平にすると共にリーフバネ材の上片を山形にし、上片の基端に垂直なストレート部を設けると共にストレート部と下片の基端部分とを一定の範囲でスライド自在になるように直接係合しているので、ストレート部を下片の係合する前の状態でもストレート部を基準にして操作レバーの高さ寸法を測定することができ、操作レバーの高さ寸法管理が容易にできてＯＰ精度を確保できるものである。
【図面の簡単な説明】
【図１】  本発明の一例を示し、（ａ）は全体の概略正面図、（ｂ）は操作レバーを組み立てる前の状態の概略正面図である。
【図２】  同上の操作レバーを示し、（ａ）は斜視図、（ｂ）は側面図である。
【図３】  本発明の他例を示し、（ａ）は全体の概略正面図、（ｂ）は操作レバーの組み立てる前の状態の概略正面図である。
【図４】  同上の操作レバーの斜視図である。
【図５】  同上の例の比較例を説明するもので、（ａ）は全体の概略正面図、（ｂ）は操作レバーの組み立てる前の状態の概略正面図である。
【図６】  従来例を示し、（ａ）は押釦を押す前の状態の概略正面図、（ｂ）は押釦を押した後の概略正面図である。
【符号の説明】
１  押釦スイッチ
２  押釦
３  操作レバー
６  リーフバネ材
６ａ  下片
６ｂ  上片
９  押圧操作部
１０  ストレート部
【図１】
0003644085.tif 000002
【図２】
0003644085.tif 000003
【図３】
0003644085.tif 000004
【図４】
0003644085.tif 000005
【図５】
0003644085.tif 000006
【図６】
0003644085.tif 000007